(57)【要約】【課題】  本発明は、部品点数を削減して小型化とコストダウンとが可能なレンズ駆動装置及びこれを用いた撮像装置を提供すること。【解決手段】本発明のレンズ駆動装置は、レンズ駆動機構が可動鏡筒１３の外周に配設された磁性部材１７と、この磁性部材１７と所定のギャップを有して対向するコイル１２を保持した固定部材７とで構成され、コイル１２に通電して発生する磁界が磁性部材１７に作用することにより、初期位置にある可動鏡筒１３が一方向にスライド移動可能になっており、可動鏡筒１３は、一方向にスライド移動すると固定部材７に形成した当接部である第３ヨーク１１に当接して動きが規制される。【選択図】        図２
2007147849.tif 000002
【特許請求の範囲】
【請求項１】
レンズを保持した可動鏡筒と、この可動鏡筒を前記レンズの光軸方向と平行方向にスライド移動可能なレンズ駆動機構とを備え、
前記レンズ駆動機構は、円筒状に形成された磁性部材と、この磁性部材と所定のギャップを有して対向するコイルを保持したヨーク部材とで構成され、前記コイルに通電して発生する磁界が前記磁性部材に作用することにより、初期位置にある前記可動鏡筒が一方向に前記スライド移動可能になっており、前記一方向にスライド移動した前記可動鏡筒は、所定の位置で動きが規制されることを特徴とするレンズ駆動装置。
【請求項２】
前記磁性部材は、前記可動鏡筒の外周面に取付けられて前記可動鏡筒と共に移動可能となっており、前記コイルを保持した前記ヨーク部材は、前記可動鏡筒の周囲に配設されて固定された固定部材となっていることを特徴とするる請求項１記載のレンズ駆動機構。
【請求項３】
前記ヨーク部材には、前記可動鏡筒の外周面と所定のギャップを有して対向する内周壁が形成され、この内周壁の外側に前記コイルが保持されていることを特徴とする請求項２記載のレンズ駆動機構。  
【請求項４】
前記可動鏡筒と前記ヨーク部材との間には、弾性部材が配設され、前記コイルに通電すると、前記弾性部材の付勢力に抗して前記可動鏡筒が前記スライド移動して前記ヨーク部材に形成した当接部に当接して前記動きが規制され、前記コイルへの通電を解除すると、前記弾性部材の付勢力で前記可動鏡筒が前記初期位置に自動復帰して動きが規制されることを特徴とする請求項１乃至３の何れか１項に記載のレンズ駆動機構。
【請求項５】
前記可動鏡筒が前記当接部に当接すると、前記内周壁の端部と前記磁性部材の端部とは、所定寸法の隙間を有して互いが接しないようになっていることを特徴とする請求項４記載のレンズ駆動機構。
【請求項６】
前記可動鏡筒は、前記レンズを固着したレンズ鏡筒と、このレンズ鏡筒の外周面に嵌合させたレンズホルダとからなり、前記レンズ鏡筒の外周面には、ネジ山が形成され、前記レンズホルダは、内周面を前記レンズ鏡筒の前記ネジ山に螺合させて前記レンズ鏡筒と一体化されていることを特徴とする請求項１乃至５の何れか１項に記載のレンズ駆動機構。
【請求項７】
前記レンズホルダーには、前記磁性部材より径の大きな鍔部が形成され、前記鍔部と対向する前記ヨーク部材の下面が前記当接部となっていることを特徴とする請求項４乃至６の何れか1項に記載のレンズ駆動装置。
【請求項８】
前記鍔部外周部の互いに対向する位置から一対の腕部が外方に延出形成され、前記腕部に前記弾性部材が支持されて、前記可動鏡筒が前記初期位置に弾性付勢されていることを特徴とする請求項７記載のレンズ駆動装置。
【請求項９】
請求項１乃至８の何れか１項に記載のレンズ駆動装置と、前記レンズ駆動機構を内部に収納する筐体と、前記レンズの光軸の延長線上に配設した撮像素子とを備え、
前記撮像素子は、前記レンズと対向する前記筐体のベース部材に取付けられ、前記コイルに無通電時の前記可動鏡筒は、前記弾性部材の付勢力で前記ベース部材に当接した前記初期位置で動きが規制されていることを特徴とする撮像装置。
【請求項１０】
前記可動鏡筒が前記初期位置にある時を第１の撮影モードとし、前記レンズ駆動機構を駆動させた時の前記可動鏡筒は、前記第１の撮影モードからスライド移動して前記当接部に当接して第２の撮影モードに切り換え可能になっていることを特徴とする請求項９記載の撮像装置。
【請求項１１】
前記筐体は、前記ベース部材と対向する側に配設されて前記レンズと対向する部分が開放されたカバー部材を有し、前記カバー部材には、前記ヨーク部材が固着されていると共に、前記可動鏡筒を弾性付勢する前記弾性部材が支持されていることを特徴とする請求項１０記載の撮像装置。  
【請求項１２】
前記ベース部材には、前記撮像素子の周囲を囲むように突出させて防塵壁が形成され、前記防塵壁と対向する位置の前記可動鏡筒に、前記防塵壁が嵌合可能な凹部が形成されていることを特徴とする請求項９乃至１１の何れか１項に記載の撮像装置。
【発明の詳細な説明】
【技術分野】
【０００１】
本発明はレンズ駆動装置及びこれを用いた撮像装置に係わり、レンズを保持した可動鏡筒をスライド移動可能なレンズ駆動機構を有するレンズ駆動装置及びこれを用いた撮像装置に関する。
【背景技術】
【０００２】
従来のレンズ駆動装置を、例えば特許文献１に記載のもので説明すると、従来のレンズ駆動装置５０は、コンパクトカメラ等に用いられており、図７、図８に示すように、レンズ５２を保持する可動鏡筒５３が固定鏡筒５４に対してレンズ５２の光軸方向に移動可能に保持されている。前記可動鏡筒５３の外周には、４つのソレノイド５５ａ、５５ｂ、５５ｃ、５５ｄが光軸方向に配設され、それぞれリード線５６が接続されている。
また、可動鏡筒５３の内壁には、鏡筒支持腕５７が挿入可能な溝５８が軸方向に４本形成され、この溝５８の前方と後方には、ロック機構５９のロック爪５９ａが係合可能な凹部５８ａ、５８ｂが形成されている。
【０００３】
また、固定鏡筒５４の前方（図示左）側には、ソレノイドコイル６０が配置され、このソレノイドコイル６０には、リード線６１が接続されている。また、こて鏡筒５４の後方（図示右）側には、４本の鏡筒支持腕５７を有する台座６２が接合され、鏡筒支持腕５７と固定鏡筒５４とで可動鏡筒５３を挟み込むように保持している。前記鏡筒支持腕５７は、リング６４によて補強されている。
また、鏡筒支持腕５７の先端部には、中空部５７ａが形成され、この中空部５７ａ内にロック機構５９が配設されている。前記ロック機構５９は、可動鏡筒５３の凹部５８ａ、５８ｂに係合可能な磁性材料からなるロック爪５９ａと、このロック爪５９ａを外方に付勢するバネ５９ｂと、リード線５９ｄが接続されロック爪５９ａを吸引可能なロックコイル５９ｃとから構成されている。このようなロック機構５９は、中空部５７ａ内に収納されて、内方側がカバー５９ｅにより遮蔽されている。
【０００４】
このような従来のレンズ駆動装置５１の動作を図９、図１０に基づいて説明すると、まず、固定鏡筒５４内に引き込まれた可動鏡筒５３は、図１０（ａ）のように、バネ５９ｂによりロック爪５９ａは鏡筒支持腕５７より突出されて凹部５８ａに係合して、第１の撮影モードでロックされている。
前記可動鏡筒５３が第１の撮影モードの位置にある時に、ロックコイル５９ｃに通電すると、ロックコイル５９ｃに発生する磁界でロック爪５９ａが引き付けられてロックが解除される。このことにより、可動鏡筒５３は図１０（ｂ）のように、スライド移動自在となる。
【０００５】
次に、図９（ａ）に示す可動鏡筒５３が第１の撮影モードの位置にある状態から、ソレノイドコイル６０に通電して発生する磁界が、可動鏡筒５３側のソレノイドコイル５５ａに通電して発生する磁界に作用して、可動鏡筒５３が固定筐体５４から所定量繰り出しされる。
そして、それぞれのソレノイドコイル５５ｂ、５５ｃ、５５ｄに順番に通電することで、図９（ｂ）、（ｃ）のように、可動鏡筒５３が固定筐体５４の外部に押出されて、凹部５８ｂがロック機構９と対向する位置まで移動すると、ロックコイル５９ｃへの通電を解除することで、ロック爪５０ａが凹部５８ｂに係合して、可動鏡筒５３が第２の撮影モードでロックされる。
前記第２の撮影モードから第１の撮影モードに戻すには、ロック機構５９のロックを解除して、後方側のソレノイドコイル５５ｄから５５ｃ、５５ｂ、５５ａと順番に逆の電流を通電すればよい。このような従来のレンズ駆動装置５１は、デジタルカメラ等の撮像装置に用いられて、可動鏡筒５３が第１の撮影モードと第２の撮影モードとに移動して所望の被写体を撮影可能になっている。
【特許文献１】特開平１０−２４６８４８号公報
【発明の開示】
【発明が解決しようとする課題】
【０００６】
しかし、従来のレンズ駆動装置５１及びこれを用いた撮像装置は、固定鏡筒５４側のソレノイドコイル６０以外に可動鏡筒５３側に４つのソレノイドコイル５５ａ〜５５ｄが必要であると共に、第１、第２の撮影モードで可動鏡筒５３をロックするためのロック機構５９が必要であったので、レンズ駆動装置５１が大型になると共に、部品点数が多くなってコストアップになる問題があった。
本発明は、前述したような課題を解決するためになされたもので、部品点数を削減して小型化とコストダウンとが可能なレンズ駆動装置及びこれを用いた撮像装置を提供することを目的とする。
【課題を解決するための手段】
【０００７】
前記課題を解決するための第１の手段として本発明のレンズ駆動装置は、レンズを保持した可動鏡筒と、この可動鏡筒を前記レンズの光軸方向と平行方向にスライド移動可能なレンズ駆動機構とを備え、
前記レンズ駆動機構は、円筒状に形成された磁性部材と、この磁性部材と所定のギャップを有して対向するコイルを保持したヨーク部材とで構成され、前記コイルに通電して発生する磁界が前記磁性部材に作用することにより、初期位置にある前記可動鏡筒が一方向にスライド移動可能になっており、前記一方向にスライド移動した前記可動鏡筒は、所定の位置で動きが規制されることを特徴とする。
また、前記課題を解決するための第２の手段として、前記磁性部材は、前記可動鏡筒の外周面に取付けられて前記可動鏡筒と共に移動可能となっており、前記コイルを保持した前記ヨーク部材は、前記可動鏡筒の周囲に配設されて固定された固定部材となっていることを特徴とするる請求項１記載のレンズ駆動機構。
また、前記課題を解決するための第３の手段として、前記ヨーク部材には、前記可動鏡筒の外周面と所定のギャップを有して対向する内周壁が形成され、この内周壁の外側に前記コイルが保持されていることを特徴とする。
【０００８】
また、前記課題を解決するための第４の手段として、前記可動鏡筒と前記ヨーク部材との間には、弾性部材が配設され、前記コイルに通電すると、前記弾性部材の付勢力に抗して前記可動鏡筒が前記スライド移動して前記ヨーク部材に形成した当接部に当接して前記動きが規制され、前記コイルへの通電を解除すると、前記弾性部材の付勢力で前記可動鏡筒が前記初期位置に自動復帰して動きが規制されることを特徴とする請求項１乃至３の何れか１項に記載のレンズ駆動機構。
また、前記課題を解決するための第５の手段として、前記可動鏡筒が前記当接部に当接すると、前記内周壁の端部と前記磁性部材の端部とは、所定寸法の隙間を有して互いが接しないようになっていることを特徴とする。
【０００９】
また、前記課題を解決するための第６の手段として、前記可動鏡筒は、前記レンズを固着したレンズ鏡筒と、このレンズ鏡筒の外周面に嵌合させたレンズホルダとからなり、前記レンズ鏡筒の外周面には、ネジ山が形成され、前記レンズホルダは、内周面を前記レンズ鏡筒の前記ネジ山に螺合させて前記レンズ鏡筒と一体化されていることを特徴とする。
また、前記課題を解決するための第７の手段として、前記レンズホルダーには、前記磁性部材より径の大きな鍔部が形成され、前記鍔部と対向する前記ヨーク部材の下面が前記当接部となっていることを特徴とする。
また、前記課題を解決するための第８の手段として、前記鍔部外周部の互いに対向する位置から一対の腕部が外方に延出形成され、前記腕部に前記弾性部材が支持されて、前記可動鏡筒が前記初期位置に弾性付勢されていることを特徴とする。
【００１０】
また、前記課題を解決するための第９の手段として本発明のレンズ駆動装置を用いた撮像装置は、請求項１乃至８の何れか１項に記載のレンズ駆動装置と、前記レンズ駆動機構を内部に収納する筐体と、前記レンズの光軸の延長線上に配設した撮像素子とを備え、前記撮像素子は、前記レンズと対向する前記筐体のベース部材に取付けられ、前記コイルに無通電時の前記可動鏡筒は、前記弾性部材の付勢力で前記ベース部材に当接した前記初期位置で動きが規制されていることを特徴とする。
また、前記課題を解決するための第１０の手段として、前記可動鏡筒が前記初期位置にある時を第１の撮影モードとし、前記レンズ駆動機構を駆動させた時の前記可動鏡筒は、前記第１の撮影モードからスライド移動して前記当接部に当接して第２の撮影モードに切り換え可能になっていることを特徴とする。
【００１１】
また、前記課題を解決するための第１１の手段として、前記筐体は、前記ベース部材と対向する側に配設されて前記レンズと対向する部分が開放されたカバー部材を有し、前記カバー部材には、前記ヨーク部材が固着されていると共に、前記可動鏡筒を弾性付勢する前記弾性部材が支持されていることを特徴とする。
また、前記課題を解決するための第１２の手段として、前記ベース部材には、前記撮像素子の周囲を囲むように突出させて防塵壁が形成され、前記防塵壁と対向する位置の前記可動鏡筒に、前記防塵壁が嵌合可能な凹部が形成されていることを特徴とする。
【発明の効果】
【００１２】
本発明のレンズ駆動装置のレンズ駆動機構は、円筒状に形成された磁性部材と、この磁性部材と所定のギャップを有して対向するコイルを保持したヨーク部材とで構成され、コイルに通電して発生する磁界が磁性部材に作用することにより、初期位置にある可動鏡筒が一方向にスライド移動可能になっており、一方向にスライド移動した可動鏡筒は、ヨーク部材に形成した当接部に当接して動きが規制されるので、従来のようなロック機構が不要となり部品点数を削減でき、小型化が可能である。
また、磁性部材は、可動鏡筒の外周面に取付けられて可動鏡筒と共に移動可能となっており、コイルを保持したヨーク部材は、可動鏡筒の周囲に配設されて固定された固定部材となっているので、コイルに通電して発生する磁界がヨーク部材で強くなり、小さな電流で磁性部材を引き付けて可動鏡筒を確実にスライド移動させることができる。
また、ヨーク部材には、可動鏡筒の外周面と所定のギャップを有して対向する内周壁が形成され、この内周壁の外側にコイルが保持されているので、コイル及びヨーク部材の内周壁で発生する磁界で、磁性部材を確実に引き付けて可動鏡筒をスライド移動させることができる。
【００１３】
また、可動鏡筒と固定部材との間には、弾性部材が配設され、コイルに通電すると、弾性部材の付勢力に抗して可動鏡筒がスライド移動してヨーク部材に形成した当接部に当接して動きが規制され、コイルへの通電を解除すると、弾性部材の付勢力で可動鏡筒が初期位置に自動復帰して動きが規制されるので、簡単な構造で可動鏡筒の動きを規制することができ小型化が可能なレンズ駆動装置を提供できる。
また、可動鏡筒が当接部に当接すると、内周壁の端部と磁性部材の端部とは、所定寸法の隙間を有して互いが接しないようになっているので、コイルへの通電を解除して無通電とした時に、ヨーク部材に残留磁束等が発生していたとしても、弾性部材の付勢力で互いを無理なく離間させることができる。
そのために、弾性部材のバネ定数を小さくでき、コイルに通電する電力を小さくできる。
また、可動鏡筒は、レンズを固着したレンズ鏡筒と、このレンズ鏡筒の外周面に嵌合させたレンズホルダとからなり、レンズ鏡筒の外周面には、ネジ山が形成され、レンズホルダは、内周面をレンズ鏡筒のネジ山に螺合させてレンズ鏡筒と一体化されているので、組立て時にレンズ鏡筒を組立治具で回転させて、レンズの焦点調整を行うことができレンズの焦点調整が容易である。
【００１４】
また、レンズホルダーには、磁性部材より径の大きな鍔部が形成され、鍔部と対向する固定部材の下面が当接部となっているので、従来の技術のようなロック機構を不要とすることができ部品点数を削減できる。
また、鍔部外周部の互いに対向する位置から一対の腕部が外方に延出形成され、腕部に弾性部材が支持されて、可動鏡筒が初期位置に弾性付勢されているので、可動鏡筒を初期位置に弾性付勢して動きを確実に規制することができる。
【００１５】
また、本発明の撮像装置は、請求項１乃至８の何れか１項に記載のレンズ駆動装置と、レンズ駆動機構を内部に収納する筐体と、レンズの光軸の延長線上に配設した撮像素子とを備え、撮像素子は、レンズと対向する筐体のベース部材に取付けられ、コイルに無通電時の可動鏡筒は、弾性部材の付勢力でベース部材に当接した初期位置で動きが規制されているので、第１の撮影モードで撮影時に可動鏡筒の動きが規制されて、高品質の撮影をすることができる。
また、可動鏡筒が初期位置にある時を第１の撮影モードとし、レンズ駆動機構を駆動させた時の可動鏡筒は、第１の撮影モードからスライド移動して当接部に当接して第２の撮影モードに切り換え可能になっているので、第１、第２の撮影モード切り換えが容易である。
【００１６】
また、筐体は、ベース部材と対向する側に配設されてレンズと対向する部分が開放されたカバー部材を有し、カバー部材には、ヨーク部材が固着されていると共に、可動鏡筒を弾性付勢する弾性部材が支持されているので、可動鏡筒を第１の撮影モードで確実に動きを規制することができる。
また、ベース部材には、撮像素子の周囲を囲むように突出させて防塵壁が形成され、防塵壁と対向する位置の可動鏡筒に、防塵壁が嵌合可能な凹部が形成されているので、撮像素子にゴミ等の異物が付着するのを防止でき、高品質な撮影が可能な撮像装置を提供できる。
【発明を実施するための最良の形態】
【００１７】
以下に、本発明のレンズ駆動装置及びこれを用いた撮像装置の実施の形態を図面に基づいて説明する。図１は本発明のレンズ駆動装置を用いた撮像装置の斜視図であり、図２は図１の分解斜視図であり、図３、図４は可動鏡筒が第１の撮影モードにあるときの要部断面図であり、第５、図６は可動鏡筒が第２の撮影モードにあるときの要部断面図である。
まず、本発明の実施の形態のレンズ駆動装置及びこれを用いた撮像装置１を、例えばデジタルカメラ等で図１〜図３に基づいて説明すると、まず、内部が空洞状で外形が立方体状の樹脂材料等からなる筐体２が配設されている。
前記筐体２は、下部を遮蔽する矩形状で所定厚さのベース部材３と、このベース部材３の上部に配設された内部が空洞状で外形が略立方体状の本体部材４と、この本体部材４の上部に配設された矩形状で所定厚さのカバー部材５とで構成されている。
【００１８】
そして、ベース部材３には、上面中央の後述するレンズ１４の光軸Ａの延長線上にＣＭＯＳ等の撮像素子６が取付けられ、この撮像素子６の周囲をリング状に囲むように突出させて防塵壁３ａが形成されている。前記防塵壁３ａによって、撮像素子６にゴミ等が侵入して付着するのを防止するようになっている。
また、ベース部材３には、対角線上の互いに対向するコーナ部の２箇所に、所定高さで突出する位置決め突起３ｂ、３ｂが形成されている。
【００１９】
また、ベース部材３の位置決め突起３ｂ、３ｂには、立方体状の本体部材４が嵌合して、接着剤等で本体部材４がベース部材３に一体化されている。
前記本体部材４は、外周部の四方が側壁４ａで囲まれて内部が空洞状になっており、それぞれの側壁４ａの中央部が、所定の幅寸法と深さ寸法で切欠きされて切欠き部４ｂが形成されている。
また、本体部材４は、下方に所定厚さの底壁４ｃが形成され、この底壁４ｃには、円形状の開口４ｄが形成されて、撮像素子６と対向する部分が開放されている。前記側壁４ａには、対角線上の互いに対向するコーナ部の２箇所には、所定高さで突出する位置決め突起４ｅ、４ｅが形成されている。
【００２０】
また、本体部材４の位置決め突起４ｅ、４ｅには、カバー部材５の位置決め孔５ｃが嵌合して、接着剤等で本体部材４に一体化されるようになっている。
前記カバー部材５は、所定の厚さで外形が矩形状に形成され、中央部に円形状の開放部５ａが形成されて、後述する可動鏡筒１３のレンズホルダ１６が図示上下方向にスライド移動可能になっている。
また、カバー部材５の互いに対向する対角線上の２箇所のコーナ部には、図示下方に突出してバネ受け部５ｂが形成されている。  
また、本体部材４の側壁４ｃに囲まれた空洞内部には、後述するコイル１２を保持したヨーク部材８が固定部材７となり、この固定部材７が本発明のレンズ駆動装置のレンズ駆動機構の一部を構成している。
前記ヨーク部材８は、鉄板等の磁性材料で形成され、後述する可動鏡筒１３の外周面と所定のギャップを有して対向する円形状の内周壁９ａと鍔部９ｂが形成された第１ヨーク９と、この第１ヨーク９の鍔部９ｂに溶接等で第２ヨーク１０とが一体化されている。
【００２１】
前記第２ヨーク１０は、第１ヨーク９の鍔部９ｂに取付けられてた平坦状の取付部１０ａと、この取付部１０ａの外周部の互いに対向する４箇所を図示下方に直角状に折り曲げた支持腕１０ｂとが形成されている。
そして、ヨーク部材８は、図３に示すように、第１ヨーク９の内周壁９ａと支持腕１０ｂとの間に所定寸法の隙間が形成されている。
また、支持腕１０ｂの下端部には、略リング状の第３ヨーク１１がカシメ、あるいは溶接等で取付けられている。
【００２２】
また、第１ヨーク９の内周壁９ａと支持腕１０ｂとの間の隙間には、所定太さの導線を筒状に巻回した、断面矩形所のコイル１２が配設され、このコイル１２は、第３ヨーク１１上に載置されて接着剤等でヨーク部材８に固着されている。
そして、コイル１２は、第１ヨーク９の内周壁９ａの下端部と第３ヨーク１１との間の内周面が露出しており、この露出部分が後述する磁性部材１６と所定のギャップを有して対向するようになっている。
このような構成の固定部材７は、カバー部材５の開放部５ａを形成した部分に第１ヨーク９の内周壁９ａを位置決めして、第１ヨーク９の鍔部９ｂ及び第２ヨーク１０の取付部１０ａが接着剤等でカバー部材５に宙吊り状に固着されている。
【００２３】
また、ベース部材３に一体化した本体部材４の開口４ｄ内には、本発明のレンズ駆動装置のレンズ駆動機構を構成する可動鏡筒１３が配設され、この可動鏡筒１３が後述するレンズ１４の光軸Ａ方向と平行方向にスライド移動可能になっている。前記可動鏡筒１３は、複数のレンズ１４を積層して鏡筒内部に収納した樹脂材料等からなる円筒状のレンズ鏡筒１５を有し、このレンズ鏡筒１５の前面（図示上部側）の中心部にレンズ１４が露出する所定の口径の開口部１５ａが形成されている。
また、レンズ鏡筒１５は、撮像素子６と対向する後面側が開放されて、開口部１５ａから入射してレンズ１４を通過した光が撮像素子６に届くようになっている。また、レンズ鏡筒１５の外周面には、所定のピッチ寸法でネジ山１５ｂが複数形成されている。
【００２４】
また、レンズ鏡筒１５は、外周側に配設したレンズホルダ１６と一体化されて可動鏡筒１３が構成されている。前記レンズホルダ１６は樹脂材料等からなり、レンズ鏡筒１５を内包する円筒状の鏡筒部１６ａが形成され、この鏡筒部１６ａの内周面には、レンズ鏡筒１５のネジ山１５ｂが螺合可能な複数のネジ山１６ｂが形成されている。そして、可動鏡筒１３は、レンズホルダ１６のネジ山１６ａにレンズ鏡筒１５のねじ山１５ｂが螺合してレンズホルダ１６とレンズ鏡筒１５とが一体化されている。
また、レンズ鏡筒１５は、ネジ山１５ｂが形成された外周部の対角線上で互いに対向する部分が切欠きされて、調整部１５ｃが形成されている。そして、組立て時に、調整部１５ｃを調整治具（図示せず）で挟んでレンズ鏡筒１５を回転させることで、レンズホルダ１６に対してレンズ鏡筒１５が図示上下に移動して焦点調整できるようになっている。
【００２５】
また、レンズホルダ１６の鏡筒部１６ａの図示下部側の外周部には、鏡筒部１６ａの径寸法より大きな鍔部１６ｃが突出形成されている。そして、図５に示すように、可動鏡筒１３が上昇時には、鍔部１６ｃが、固定部材７の下面である第３ヨーク１１に当接して、可動鏡筒１３の動きが規制されるようになっている。
また、レンズホルダ１６の下面には、ベース部材３の上面に当接可能な凸部１６ｅが形成され、この凸部１６ｅの内周側にベース部材３の防塵壁３ａが嵌合可能な凹部１６ｆが所定深さに形成されている。
このことにより、可動鏡筒１３がレンズ１４の光軸Ａ方向にスライド移動しても、撮像素子６は、防塵壁３ａと凸部１６ｅとで外部と遮蔽され、撮像素子６にゴミ等が侵入して付着するのを防止できるようになっている。
【００２６】
また、レンズホルダ１６の鍔部１６ｃ上の鏡筒部１６ａの外周部には、鉄板等の磁性材料をリング状に形成した磁性部材１７が接着剤等で固着されている。
前記鍔部１６ｃの外径寸法は、磁性部材１７の外径寸法より大きく形成されて磁性部材１７かた外側に突出しており、この突出部分が固定部材７の当接部である第３ヨーク１１に当接するようになっている。
また、レンズホルダ１６は、外周部の互いに対向する対角線上の２箇所から、一対の腕部１６ｄが外方に延出形成され、この腕部１６ｄにコイルバネからなる弾性部材１８の下端が支持されている。また、弾性部材１８の上端は、固定部材７を取付けたカバー部材５のバネ受け部５ｂに支持されるようになっている。
即ち、可動鏡筒１３と固定部材７との間には、弾性部材１８が配設されて、可動鏡筒１３がベース部材３側に弾性付勢されている。
また、ベース部材３の下部には、基板１９が配設されて撮像素子６に蓄積された画像データ等を外部に出力可能になっている。
【００２７】
このような本発明のレンズ駆動装置及びこれを用いた撮像装置１の組立は、前工程で固定部材７の第１ヨーク９の内周壁９ａと第２ヨーク１０の支持腕１０ｂとの間の隙間に、リング状のコイル１２を挿入して、第２ヨーク１０の図示下端部に第３ヨーク１１をスポット溶接等で固着し、コイル１２を第３ヨーク１１に接着剤等で固着する。
更に、前工程で、レンズホルダ１６にレンズ鏡筒１５を螺合して一体化して可動鏡筒１３を準備しておく。
【００２８】
そして、撮像素子６を取付けた筐体２の一部であるベース部材３の位置決め突起３ｂに、本体部材４を位置決めして載置し接着剤等で一体化する。その後、本体部材４の側壁４ａで囲まれた空洞内部に、前工程でレンズ鏡筒１５とレンズホルダ１６とを一体化した可動鏡筒１３を収納する。
すると、レンズホルダ１６の凸部１６ｅが、ベース部材３の上面に当接して載置され、その後、それぞれの腕部１６ｄの先端部に弾性部材１８を支持する。
【００２９】
次に、前工程で固定部材７を固着したカバー部材５を、可動鏡筒１３上に位置させて、コイル１２及び第１ヨーク９の内周壁９ａに、レンズホルダ１６の鏡筒部１６ａを挿通する。そして、弾性部材１８の付勢力に抗して、カバー部材５の位置決め孔５ｃを本体部材４の位置決め突起４ｅに嵌合させ、接着剤等でカバー部材５を本体部材４に固着する。
このことで、可動鏡筒１３は、弾性部材１８に付勢されて、レンズホルダ１６の凸部１６ｅが、ベース部材３の上面に当接した初期位置となって動きが規制される。
その後、基板１９をベース部材３の下面に取付けて、本発明のレンズ駆動装置及びこれを用いた撮像装置１が組立されている。
【００３０】
このように組立てられた本発明のレンズ駆動装置を用いた撮像装置１の動作を説明すると、まず図３、図４に示すように、コイル１２に無通電時の可動鏡筒１３は、弾性部材１８の付勢力で、レンズホルダ１６の凸部１６ｅが、ベース部材３の上面に当接して動きが規制された初期位置となっている。
前記初期位置にある時の可動鏡筒１３は、例えば人物あるいは景色等を撮影可能な第１の撮影モードとなる。
次に、可動鏡筒１３が初期位置にある時に、コイル１２に所定の電流を通電すると、コイルに磁界が発生し、この磁界がそれぞれのヨーク９、１０、１１で増強される。このことで、磁性部材１７が、第１ヨーク９の内周壁９ａの図示下端部側に吸引されて、可動鏡筒１３が光軸Ａ方向と平行な図示上方の一方向にスライド移動する。
【００３１】
すると、図５、図６に示すように、レンズホルダ１６の鍔部１６ｃが当接部である固定部材７の下面（第３ヨーク１１）に当接して動きが規制される。
この時の可動鏡筒１３は、例えば花あるいは昆虫等を接写可能な第２の撮影モードとなる。
この第２の撮影モードとなっている時の可動鏡筒１３は、磁性部材１７の上端部が第１ヨーク９の内周壁９ａの下端部に接近するが、互いが接しないようになっている。
即ち、磁性部材１７と第１ヨーク９との端部が接しないので、コイル１２への通電を解除して無通電とした時に、第１ヨーク９に残留磁束等があったとしても、弾性部材１８の付勢力で互いを無理なく離間させることができる。
そのために、弾性部材１８のバネ定数を小さくできて、コイル１２に通電する電力を小さくでき、省電力が可能である。
【００３２】
次に、可動鏡筒１３が第２の撮影モードの状態から、コイル１２への通電を解除して無通電とすると、弾性部材１８の付勢力で、可動鏡筒１３が図３、図４に示す第１の撮影モードである初期位置に自動復帰して動きが規制される。   
前記可動鏡筒１３は、レンズホルダ１６の凹部１６ｆに防塵壁３ａが嵌合した状態で、第１、第２の撮影モードの間を移動するので、防塵壁３ａ内部の撮像素子６にゴミ等の異物が侵入するのを防止できる。
【００３３】
このような本発明のレンズ駆動装置及びこれを用いた撮像装置１は、初期位置である第１の撮影モードにある可動鏡筒１３が、弾性部材１８の付勢力で動きが規制されると共に、第２の撮影モードにある可動鏡筒１３が、コイルに通電して発生する磁界により動きが規制される。
そのために、従来技術のような特別なロック部材が不要となり部品点数を削減できると共に、小型化が可能である。
尚、本発明の実施の形態では、ヨーク部材８を固定部材とし、磁性部材１７を可動鏡筒１３に取付けたもので説明したが、ヨーク部材８を可動鏡筒１３に取付け、磁性部材１７を固定部材としたものでも良い。
【図面の簡単な説明】
【００３４】
【図１】本発明のレンズ駆動装置を用いた撮像装置の斜視図である。
【図２】図１の分解斜視図である。
【図３】可動鏡筒が第１の撮影モードにあるときの要部断面図である。
【図４】可動鏡筒が第１の撮影モードにあるときの要部断面図である。
【図５】可動鏡筒が第２の撮影モードにあるときの要部断面図である。
【図６】可動鏡筒が第２の撮影モードにあるときの要部断面図である。
【図７】従来のレンズ駆動装置の要部断面図である。
【図８】従来のレンズ駆動装置の分解斜視図である。
【図９】従来のレンズ駆動装置の動作を説明する要部断面図である。
【図１０】従来のレンズ駆動装置の動作を説明する要部断面図である。
【符号の説明】
【００３５】
１  本発明の撮像装置
２  筐体
３  ベース部材
３ａ  防塵壁
３ｂ  位置決め突起
４  本体部材
４ａ  側壁
４ｂ  切欠き部
４ｃ  底壁
４ｄ  開口
４ｅ  位置決め突起
５  カバー部材
６  撮像部材
７  固定部材
８  ヨーク部材
９  第１ヨーク
１０  第２ヨーク
１１  第３ヨーク
１２  コイル
１３  可動鏡筒
１４  レンズ
１５  レンズ鏡筒
１６  レンズホルダ
１７  磁性部材
１８  弾性部材
１９  基板
【図１】
2007147849.tif 000003
【図２】
2007147849.tif 000004
【図３】
2007147849.tif 000005
【図４】
2007147849.tif 000006
【図５】
2007147849.tif 000007
【図６】
2007147849.tif 000008
【図７】
2007147849.tif 000009
【図８】
2007147849.tif 000010
【図９】
2007147849.tif 000011
【図１０】
2007147849.tif 000012